(57)【要約】【課題】内燃機関の気筒における燃焼の安定性とエンジン回転数の低下との両立を図る。【解決手段】エンジン回転数とその目標回転数との偏差を縮小する方向に吸気絞り弁を開閉操作して気筒に吸入される空気量を増減させるフィードバック制御を実施するにあたり、吸気絞り弁の開度または吸入空気量に下限値を設定しておき、エンジン回転数がその目標回転数を上回る偏差が残存していても吸気絞り弁の開度または吸入空気量が既に当該下限値に到達しているならばそれ以上吸気絞り弁の開度を縮小せずまたはそれ以上吸入空気量を減少させないこととし、空燃比がリッチである場合の前記下限値を、空燃比がよりリーンである場合の前記下限値と比較してより小さく設定する内燃機関の制御装置を構成した。【選択図】図２
2019135382.tif 000002
【特許請求の範囲】
【請求項１】
エンジン回転数とその目標回転数との偏差を縮小する方向に吸気絞り弁を開閉操作して気筒に吸入される空気量を増減させるフィードバック制御を実施するにあたり、吸気絞り弁の開度または吸入空気量に下限値を設定しておき、エンジン回転数がその目標回転数を上回る偏差が残存していても吸気絞り弁の開度または吸入空気量が既に当該下限値に到達しているならばそれ以上吸気絞り弁の開度を縮小せずまたはそれ以上吸入空気量を減少させないこととし、
空燃比がリッチである場合の前記下限値を、空燃比がよりリーンである場合の前記下限値と比較してより小さく設定する内燃機関の制御装置。
【請求項２】
吸気絞り弁の開度または吸入空気量が前記下限値と同等または同下限値から一定の範囲内にあるときに、気筒における燃焼の不安定を感知したならば、その後の前記下限値をそれ以前の下限値よりも大きい値に引き上げることとし、
その際の前記下限値の増分について、空燃比がリーンである場合の増分を、空燃比がよりリッチである場合の増分と比較してより大きくする請求項１記載の内燃機関の制御装置。
【発明の詳細な説明】
【技術分野】
【０００１】
本発明は、車両等に搭載される内燃機関を制御する制御装置に関する。
【背景技術】
【０００２】
運転者によるアクセルペダルの踏込量が０または０に近い閾値以下であるアイドル運転時には、エンジン回転数を所望の目標アイドル回転数に収束させる目的で、両者の偏差を縮小する方向に吸気絞り弁、具体的にはスロットルバルブやアイドルスピードコントロールバルブを開閉操作し、気筒に吸入される空気量及び燃料噴射量を増減調整するフィードバック制御を実施することが通例である。
【０００３】
実測のエンジン回転数が目標回転数よりも高いときには、吸気絞り弁の開度を縮小して内燃機関の出力するエンジントルクを低減させようとする。一方で、気筒に吸入される空気量即ち酸素量が顕著に少なくなると、気筒における混合気の燃焼が不安定化し、失火を生じてエンジンストールに陥るおそれがある。それ故、吸気絞り弁の開度または吸入空気量に予め下限値（下限ガード値）を設定しておき、エンジン回転数如何によらず吸気絞り弁の開度または吸入空気量が当該下限値を下回らないようにすることで、燃焼の不安定化を防止している（例えば、下記特許文献を参照）。
【先行技術文献】
【特許文献】
【０００４】
【特許文献１】特開平０７−００４２９０号公報
【発明の概要】
【発明が解決しようとする課題】
【０００５】
燃費性能の一層の向上を目論み、近時の内燃機関はフリクションロスを極限まで軽減しており、エンジン回転数を最低限度のアイドル回転数以上に維持するために必要とされるエンジントルクが小さくなってきている。その帰結として、吸気絞り弁の開度または吸入空気量を下限値まで縮小したとしても、エンジン回転数が十分に低下せずに高止まりすることがある。エンジン回転数が不必要に高いことは、燃料噴射及び着火燃焼の頻度が不必要に多いことを意味し、余分な燃料の消費に直結する。
【０００６】
現状のところ、吸気絞り弁の開度または吸入空気量に対する下限値は、実際の混合気の燃焼の善し悪しとは無関係な単一の値に設定している。その下限値は、燃焼状態が悪化する条件下でもエンジンストールに陥らないような安全余裕を加味した値となっている。従って、燃焼状態が良好な状況の下では、エンジン回転数を最低限度以上に維持するのに必要な大きさを超えたエンジントルクが出力され、どうしてもエンジン回転数が高くなってしまう。
【０００７】
本発明は、以上の問題に初めて着目してなされたものであり、内燃機関の気筒における燃焼の安定性とエンジン回転数の低下との両立を図ることを所期の目的とする。
【課題を解決するための手段】
【０００８】
本発明では、エンジン回転数とその目標回転数との偏差を縮小する方向に吸気絞り弁を開閉操作して気筒に吸入される空気量を増減させるフィードバック制御を実施するにあたり、吸気絞り弁の開度または吸入空気量に下限値を設定しておき、エンジン回転数がその目標回転数を上回る偏差が残存していても吸気絞り弁の開度または吸入空気量が既に当該下限値に到達しているならばそれ以上吸気絞り弁の開度を縮小せずまたはそれ以上吸入空気量を減少させないこととし、空燃比がリッチである場合の前記下限値を、空燃比がよりリーンである場合の前記下限値と比較してより小さく設定する内燃機関の制御装置を構成した。
【０００９】
加えて、吸気絞り弁の開度または吸入空気量が前記下限値と同等または同下限値から一定の範囲内にあるときに、気筒における燃焼の不安定を感知したならば、その後の前記下限値をそれ以前の下限値よりも大きい値に引き上げることとし、その際の前記下限値の増分について、空燃比がリーンである場合の増分を、空燃比がよりリッチである場合の増分と比較してより大きくすることが好ましい。
【発明の効果】
【００１０】
本発明によれば、内燃機関の気筒における燃焼の安定性とエンジン回転数の低下との両立を図り得る。
【図面の簡単な説明】
【００１１】
【図１】本発明の一実施形態における内燃機関及び制御装置の概略構成を示す図。
【図２】同実施形態の制御装置が実施する制御の内容を説明する図。
【図３】同実施形態の制御装置が実施する制御の内容を説明する図。
【発明を実施するための形態】
【００１２】
本発明の一実施形態を、図面を参照して説明する。図１に、本実施形態における車両用内燃機関の概要を示す。本実施形態における内燃機関は、火花点火式の４ストロークガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１３】
吸気を供給するための吸気通路３は、外部から空気を取り入れて各気筒１の吸気ポートへと導く。吸気通路３上には、エアクリーナ３１、吸気絞り弁である電子スロットルバルブ３２、サージタンク３３、吸気マニホルド３４を、上流からこの順序に配置している。
【００１４】
排気を排出するための排気通路４は、気筒１内で燃料を燃焼させたことで生じる排気を各気筒１の排気ポートから外部へと導く。この排気通路４上には、排気マニホルド４２及び排気浄化用の三元触媒４１を配置している。
【００１５】
排気通路４における触媒４１の上流及び／または下流には、排気通路４を流通する排気ガスの空燃比を検出するための空燃比センサ４３、４４を設置する。空燃比センサ４３、４４は、排気ガスの空燃比に比例した出力特性を有するリニアＡ／Ｆセンサであってもよいし、排気ガスの空燃比に対して非線形な出力特性を有するＯ2センサであってもよい。
【００１６】
排気ガス再循環（Ｅｘｈａｕｓｔ  Ｇａｓ  Ｒｅｃｉｒｃｕｌａｔｉｏｎ）装置２は、いわゆる高圧ループＥＧＲを実現するものであり、排気通路４における触媒４１の上流側と吸気通路３におけるスロットルバルブ３２の下流側とを連通する外部ＥＧＲ通路２１と、ＥＧＲ通路２１上に設けたＥＧＲクーラ２２と、ＥＧＲ通路２１を開閉し当該ＥＧＲ通路２１を流れるＥＧＲガスの流量を制御するＥＧＲバルブ２３とを要素とする。ＥＧＲ通路２１の入口は、排気通路４における排気マニホルド４２またはその下流の所定箇所に接続している。ＥＧＲ通路２１の出口は、吸気通路３におけるスロットルバルブ３２の下流の所定箇所、具体的にはサージタンク３３に接続している。
【００１７】
本実施形態の内燃機関の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００１８】
ＥＣＵ０の入力インタフェースには、車両の実車速を検出する車速センサから出力される車速信号ａ、クランクシャフトの回転角度及びエンジン回転数を検出するクランク角センサ（エンジン回転センサ）から出力されるクランク角信号ｂ、アクセルペダルの踏込量またはスロットルバルブ３２の開度をアクセル開度（いわば、要求されるエンジン負荷率）として検出するセンサから出力されるアクセル開度信号ｃ、吸気通路３（特に、サージタンク３３）内の吸気温及び吸気圧を検出する温度・圧力センサから出力される吸気温・吸気圧信号ｄ、内燃機関の温度を示唆する冷却水温を検出する水温センサから出力される冷却水温信号ｅ、触媒４１の上流側における排気ガスの空燃比を検出する空燃比センサ４３から出力される空燃比信号ｆ、触媒４１の下流側における排気ガスの空燃比を検出する空燃比センサ４４から出力される空燃比信号ｇ、大気圧を検出する大気圧センサから出力される大気圧信号ｈ等が入力される。
【００１９】
ＥＣＵ０の出力インタフェースからは、点火プラグ１２のイグナイタに対して点火信号ｉ、インジェクタ１１に対して燃料噴射信号ｊ、スロットルバルブ３２に対して開度操作信号ｋ、ＥＧＲバルブ２３に対して開度操作信号ｌ等を出力する。
【００２０】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、気筒１に充填される吸入空気量に見合った要求燃料噴射量、燃料噴射タイミング（一度の燃焼に対する燃料噴射の回数を含む）、燃料噴射圧、点火タイミング、要求ＥＧＲ量（または、ＥＧＲ率）等といった運転パラメータを決定する。ＥＣＵ０は、運転パラメータに対応した各種制御信号ｉ、ｊ、ｋ、ｌを出力インタフェースを介して印加する。
【００２１】
また、ＥＣＵ０は、運転状況に応じて、気筒１への燃料供給を一時中断する燃料カットを実行する。ＥＣＵ０は、所定の燃料カット条件が成立したときに、燃料カット即ちインジェクタ１１からの燃料噴射を停止する。ＥＣＵ０は、少なくとも、アクセルペダルの踏込量が０若しくは０に近い閾値以下となり、かつエンジン回転数が燃料カット許可回転数以上あることを以て、燃料カット条件が成立したものと判断する。
【００２２】
燃料カット中は、スロットルバルブ３２をアクセルペダルの踏込量（０または０に近い）に依拠しない開度に開いておく。この操作は、燃料カット中の内燃機関のポンピングロスを低減してエンジン回転の減速を遅らせるために行う。このときのスロットルバルブ３２の開度は、一定値としてもよいし、車速等に応じて増減させてもよいが、何れにせよ比較的大きな開度とする。
【００２３】
そして、ＥＣＵ０は、所定の燃料カット終了条件が成立したときに、燃料カットを終了することとし、燃料噴射（及び、点火）を再開する。ＥＣＵ０は、アクセルペダルの踏込量が閾値を上回った、エンジン回転数が燃料カット復帰回転数まで低下した等のうち何れかを以て、燃料カット終了条件が成立したものと判断する。
【００２４】
ＥＣＵ０は、燃料噴射量を決定するにあたり、まず気筒１に吸入される空気の量を求め、その吸入空気量に応じて、理論空燃比またはその近傍の空燃比を具現できるような燃料噴射量の基本量ＴＰを決定する。言うまでもなく、基本噴射量ＴＰは、吸入空気量に比例し、吸入空気量が多いほど多くなる。吸入空気量は、現在のエンジン回転数及びサージタンク３３内吸気圧を基に推算する。必要であれば、その推算値に、吸気温や大気圧等に応じた補正を加えることができる。尤も、吸気通路３にエアフローメータが設置されているならば、エアフローメータを介して吸入空気量を直接計測することが可能である。
【００２５】
次いで、この基本噴射量ＴＰを、空燃比センサ４３、４４の出力信号ｆ、ｇに応じて定まる補正係数ＦＡＦで補正する。補正係数ＦＡＦは、１を中心に増減する正数であり、空燃比センサ４３、４４を介して検出された空燃比が理論空燃比よりもリッチであるときに減少し、空燃比センサ４３、４４を介して検出された空燃比が理論空燃比よりもリーンであるときに増加する。
【００２６】
さらに、状況に応じて定まる各種補正係数Ｋや、インジェクタ１１の無効噴射時間ＴＡＵＶをも加味して、最終的な燃料噴射時間（インジェクタ１１に対する通電時間）Ｔを算定する。燃料噴射時間Ｔは、
Ｔ＝ＴＰ×ＦＡＦ×Ｋ＋ＴＡＵＶ
となる。そして、燃料噴射時間Ｔだけインジェクタ１１に信号ｊを入力、インジェクタ１１を開弁して燃料を噴射させる。
【００２７】
ＥＣＵ０が決定した燃料噴射量Ｔにより最終的に実現される、気筒１に充填される混合気の空燃比は、常に理論空燃比であるとは限られず、理論空燃比よりもリッチになることもあれば、理論空燃比よりもリーンになることもある。燃料カットの終了直後等、触媒４１内に多量の酸素が吸蔵されている状況下では、敢えて燃料噴射量Ｔを増量して混合気の空燃比を理論空燃比よりもリッチ化し、触媒４１に吸蔵された酸素の放出、消費を促すことがある。逆に、触媒４１内の酸素が欠乏している状況下や、内燃機関の冷間始動直後の時期にあっては、敢えて燃料噴射量Ｔを削減して混合気の空燃比を理論空燃比よりもリーン化し、触媒４１に酸素を供給したり、冷間始動直後の時期におけるＨＣの排出の抑制及び触媒４１の昇温を図ったりする。
【００２８】
しかして、本実施形態のＥＣＵ０は、運転者のアクセルペダルの踏込量が０若しくは０に近い閾値以下であるアイドル運転時、またはアクセル開度が所定以下の低負荷運転時において、エンジン回転数を所望の目標回転数に収束させるフィードバック制御を実施する。このフィードバック制御では、原則として、実測のエンジン回転数と目標回転数との偏差を縮小する方向にスロットルバルブ３２の開度を操作し、気筒１に吸入される空気量及び燃料噴射量を増減調整する。
【００２９】
実測のエンジン回転数が目標回転数よりも高いと、ＥＣＵ０は、スロットルバルブ３２の開度を縮小して内燃機関の出力するエンジントルクを低減させようとする。一方で、気筒１に吸入される空気量即ち酸素量が顕著に少なくなると、気筒１における混合気の燃焼が不安定化し、失火を生じてエンジンストールに陥るおそれがある。このようなエンジンストールを防止するべく、ＥＣＵ０は、エンジン回転数のフィードバック制御において、スロットルバルブ３２の開度または吸入空気量に予め下限値（下限ガード値）を設定する。そして、エンジン回転数が目標回転数を上回る偏差が残存していようとも、スロットルバルブ３２の開度または吸入空気量が既に当該下限値に到達しているならば、それ以上スロットルバルブ３２の開度を縮小せず、またはそれ以上吸入空気量を減少させない。これにより、フィードバック制御中の燃焼の不安定化を回避している。
【００３０】
エンジン回転数のフィードバック制御中、換言すれば内燃機関がアイドル運転またはアイドル運転に近い低負荷運転を行っている（要するに、吸入空気量及び燃料噴射量が比較的少ない）ときの燃焼の安定度合いは、空燃比の影響を受ける。具体的には、空燃比がリッチであるほど燃焼が安定化し、空燃比がリーンであるほど燃焼が不安定化する。このことに鑑み、本実施形態のＥＣＵ０は、図２に示すように、空燃比がリッチである場合のスロットルバルブ３２の開度または吸入空気量の下限値を、空燃比がよりリーンである場合のそれと比較してより小さく設定する。
【００３１】
下限値を上下させるためにＥＣＵ０が参照する空燃比は、空燃比センサ４３、４４（特に、排気通路４を通じて触媒４１に流入する排気ガスと接触する上流側の空燃比センサ４３）を介して検出される空燃比であってもよいし、気筒１に吸入される空気量と燃料噴射量Ｔとの比である空燃比つまりはＥＣＵ０が現在実現しようとしている目標空燃比であってもよい。
【００３２】
空燃比が理論空燃比よりもリッチである場合と、空燃比が理論空燃比と同等または理論空燃比よりもリーンである場合とで下限値を変更する、即ち前者の場合により低位の下限値を設定し、後者の場合により高位の下限値を設定するようにしてもよい。あるいは、空燃比センサ４３を介して検出される空燃比及びＥＣＵ０が実現しようとしている目標空燃比の双方が理論空燃比よりもリッチである場合により低位の下限値を設定し、そうでない場合により高位の下限値を設定することもできる。
【００３３】
但し、スロットルバルブ３２の開度または吸入空気量が下限値と同等または同下限値から一定の範囲内にある、即ち吸入空気量が既に低減されているときに、気筒１における混合気の燃焼の不安定を感知したならば、その後の下限値をそれ以前の下限値よりも大きい値に引き上げることが好ましい。
【００３４】
気筒１における燃焼の不安定は、例えば、クランク角センサを介して検出されるエンジン回転数の変動に基づいて知得できる。ＥＣＵ０は、内燃機関のクランクシャフトが所定角度、例えば３０°ＣＡ（クランク角度）回転するために要した時間を反復的に計測し、今回計測された所要時間から前回計測された所要時間を減算することで、３０°ＣＡ毎のクランクシャフトの回転速度の低下量の指標となる、３０°ＣＡの所要時間の変化量を得る。３０°ＣＡの所要時間の変化量が正値であることはエンジン回転数が減速傾向にあることを意味し、負値であることはエンジン回転数が加速傾向にあることを意味する。気筒１内で混合気の燃焼が不安定化し、または失火が発生すると、当該気筒１の膨張行程において加速が行われないことから、膨張行程中の３０°ＣＡの所要時間の変化量の値が逓増する。故に、ＥＣＵ０は、３０°ＣＡの所要時間の変化量を所定の判定値と比較し、前者が後者を上回ったならば燃焼の不安定ないし失火が発生したものと判定する。
【００３５】
気筒１における燃焼の不安定を検知する他の手法として、混合気の燃焼中に気筒１内の点火プラグ１２の中心電極を流れるイオン電流を検出し、イオン電流の大きさが所定値以上となっている時間の長さを計数して、その時間の長さを判定値と比較することも考えられる。前者が後者を下回ったならば、燃焼の不安定ないし失火が発生したものと判定する。
【００３６】
さらには、過去の一定の期間内、例えばクランクシャフトが所定回数回転した間に、所定回数以上の燃焼の不安定ないし失火が発生した経歴がある場合に、はじめて気筒１での燃焼が不安定化していると判断するようにしても構わない。
【００３７】
エンジン回転数のフィードバック制御中に、気筒１における混合気の燃焼が現に不安定化しているのであれば、ＥＣＵ０が、スロットルバルブ３２の開度または吸入空気量の下限値をより高位の値に引き上げる。結果、現在の空燃比が同等であっても、気筒１における燃焼の不安定を感知している場合の方が、燃焼の不安定を感知していない場合よりも下限値が大きくなる。下限値を引き上げれば、気筒１に吸入される空気量が増量（同時に、燃料噴射量も増量）されることになり、気筒１における燃焼が安定化する。
【００３８】
なお、スロットルバルブ３２の開度または吸入空気量の下限値をより高位の値に引き上げる際には、図３に示すように、空燃比がよりリーンである場合の増分を、空燃比がよりリッチである場合の増分と比較してより大きくすることが好ましい。例えば、現在の空燃比が理論空燃比と同等またはそれよりもリーンである場合において、燃焼の不安定化を感知したならば、以後、空燃比が理論空燃比と同等またはそれよりもリーンの場合に用いる下限値を引き上げる。このとき、空燃比が理論空燃比よりもリッチの場合に用いる下限値は、引き上げてもよいし引き上げなくてもよい。空燃比がリッチであると燃焼が不安定化しにくいことを勘案すれば、空燃比が理論空燃比よりもリッチの場合に用いる下限値は必ずしも引き上げる必要はない。
【００３９】
他方、現在の空燃比が理論空燃比よりもリッチである場合において、燃焼の不安定化を感知したならば、以後、空燃比が理論空燃比よりもリッチの場合に用いる下限値を引き上げる。このとき、空燃比が理論空燃比と同等またはそれよりもリーンの場合に用いる下限値は、引き上げてもよいし引き上げなくてもよいが、空燃比がリーンであると燃焼が不安定化しやすいことを勘案すれば、空燃比が理論空燃比と同等またはそれよりもリーンの場合に用いる下限値も併せて引き上げた方がよいと考えられる。
【００４０】
因みに、ＥＣＵ０は、エンジン回転数のフィードバック制御において、スロットルバルブ３２の開度または吸入空気量に予め上限値（上限ガード値）を設定することがある。そして、エンジン回転数が目標回転数を下回る偏差が残存していようとも、スロットルバルブ３２の開度または吸入空気量が既に当該上限値に到達しているならば、それ以上スロットルバルブ３２の開度を拡大せず、またはそれ以上吸入空気量を増加させない。
【００４１】
上限値は、例えば、内燃機関に付随し、内燃機関のクランクシャフトから回転トルクの伝達を受けて稼働する補機による、内燃機関に対する機械的な負荷の大きさに応じて調整する。具体的には、内燃機関により回転駆動されて発電する発電機の発電量（出力電圧または出力電流）が大きいほど上限値を大きく設定し、また内燃機関により回転駆動されるコンプレッサが圧縮する流体（特に、車室内を空調するエアコンディショナ用の冷媒）の圧力が高いほど上限値を大きく設定する。
【００４２】
本実施形態では、エンジン回転数とその目標回転数との偏差を縮小する方向に吸気絞り弁３２を開閉操作して気筒１に吸入される空気量を増減させるフィードバック制御を実施するにあたり、吸気絞り弁３２の開度または吸入空気量に下限値を設定しておき、エンジン回転数がその目標回転数を上回る偏差が残存していても吸気絞り弁３２の開度または吸入空気量が既に当該下限値に到達しているならばそれ以上吸気絞り弁３２の開度を縮小せずまたはそれ以上吸入空気量を減少させないこととし、現在の空燃比が所定の空燃比（例えば、理論空燃比）よりもリッチである場合の前記下限値を、現在の空燃比が所定の空燃比と同等またはそれよりもリーンである場合の前記下限値と比較してより小さく設定する内燃機関の制御装置０を構成した。
【００４３】
本実施形態によれば、混合気の燃焼が不安定化しにくい（空燃比がよりリッチの）状況下において、下限値をより低位の値に設定することができ、気筒１に吸入される空気量及び燃料噴射量を削減し、エンジントルクを低減させてエンジン回転数を十分に低下させることが可能となる。結果、余分な燃料消費が抑制され、燃費性能の向上に寄与し得る。
【００４４】
翻って、混合気の燃焼が不安定化しやすい（空燃比がよりリーンの）状況下においては、下限値をより高位の値に設定することで、燃焼の不安定化ないし失火を適切に予防し、エンジンストールを回避することができる。
【００４５】
その上で、吸気絞り弁３２の開度または吸入空気量が前記下限値と同等または同下限値から一定の範囲内にあるときに、気筒１における燃焼の不安定を感知したならば、その後の前記下限値をそれ以前の下限値よりも大きい値に引き上げることとし、その際の前記下限値の増分について、、現在の空燃比が所定の空燃比（例えば、理論空燃比）と同等またはそれよりも空燃比がリーンである場合の増分を、現在の空燃比が所定の空燃比よりもリッチである場合の増分と比較してより大きく設定することとすれば、失火に起因するエンジンストールのリスクを最小化することができる。
【００４６】
なお、本発明は以上に詳述した実施形態には限られない。例えば、内燃機関の吸気通路に、スロットルバルブとともに吸気絞り弁としてアイドルスピードコントロールバルブが設置されている場合には、このアイドルスピードコントロールバルブを開閉操作することで気筒に吸入される空気量を増減させるフィードバック制御を実行することができる。周知の通り、アイドルスピードコントロールバルブは、吸気通路におけるスロットルバルブの上流側と下流側とを連通するバイパスを開閉する、開度操作の可能なバルブである。
【００４７】
その場合、内燃機関の制御装置は、アイドルスピードコントロールバルブの開度または吸入空気量（バイパスを流通する空気の流量であることがある）に下限値を設定し、たとえエンジン回転数がその目標回転数を上回る偏差が残存していても、アイドルスピードコントロールバルブの開度または吸入空気量が既に当該下限値に到達しているならば、それ以上アイドルスピードコントロールバルブの開度を縮小せず、またはそれ以上吸入空気量を減少させないように制御する。
【００４８】
その他、各部の具体的構成や処理の手順等は、本発明の趣旨を逸脱しない範囲で種々変形が可能である。
【産業上の利用可能性】
【００４９】
本発明は、車両等に搭載される内燃機関の制御に適用することができる。
【符号の説明】
【００５０】
０…制御装置（ＥＣＵ）
１…気筒
１１…インジェクタ
３…吸気通路
３２…吸気絞り弁（スロットルバルブ）
４…排気通路
４３…空燃比センサ
ｂ…クランク角信号
ｃ…アクセル開度信号
ｄ…吸気温・吸気圧信号
ｆ…空燃比信号
ｊ…燃料噴射信号
ｋ…開度操作信号
【図１】
2019135382.tif 000003
【図２】
2019135382.tif 000004
【図３】
2019135382.tif 000005